(57)【要約】【課題】コードがシャッターカーテン面部に沿って露出することに起因する不具合を解消する。【解決手段】開口部を開閉するシャッターカーテンと、シャッターカーテンを巻き取る巻取シャフトと、コードリールを用いた障害物検知装置と、を備えたシャッター装置において、障害物検知装置は、一端が座板７に設けられた障害物検知スイッチ１１に、他端が開口部上方に設けたコードリール１２に連結されており、シャッターカーテン昇降時にシャッターカーテンの面部に沿って昇降するコード１３を有しており、前記シャッター装置は、開口部上方に設けた巻取装置１４と、一端が巻取装置１４に、他端が座板７に連結されており、シャッターカーテン昇降時にコード１３を覆うように昇降する保護シート１５と、を有している。【選択図】  図２
2008184742.tif 000002
【特許請求の範囲】
【請求項１】
開口部を開閉するシャッターカーテンと、シャッターカーテンを巻き取る巻取シャフトと、コードリールを用いた障害物検知装置と、を備えたシャッター装置において、
前記障害物検知装置は、一端が、座板に設けられた障害物検知スイッチに、他端が、開口部上方に設けたコードリールに連結されており、シャッターカーテン昇降時にシャッターカーテンの面部に沿って昇降するコードを有しており、
前記シャッター装置は、
開口部上方に設けた巻取装置と、
一端が、前記巻取装置に、他端が、前記座板に連結されており、シャッターカーテン昇降時に前記コードを覆うように昇降する保護シートと、を有している、シャッター装置。
【請求項２】
前記コードの昇降経路の上方部位に位置して保護シートのガイド部材が設けてあり、巻取装置から引き出された保護シートは、前記コードと前記ガイド部材の間で挟持されながら前記ガイド部材に案内されて下方に導かれる、請求項１に記載のシャッター装置。
【発明の詳細な説明】
【技術分野】
【０００１】
本発明は、コードリールを用いた障害物検知装置を備えたシャッター装置に関するものである。
【背景技術】
【０００２】
シャッター装置の障害物検知装置としてコードリールを用いたものがある。具体的には、コードリールに巻き取り可能なコードの下端を、座板に設けられた障害物検知スイッチに電気的に連結し、降下するシャッターカーテンの下端が障害物にぶつかると、障害物検知信号がコードを介して送信されてシャッターカーテンの降下を停止させる。コードリールから引き出されたコードは、シャッターカーテンの昇降に伴ってシャッターカーテンの面部に沿って昇降する。このような障害物検知装置が特許文献１に記載されている。
【０００３】
しかしながら、このものでは、シャッターカーテンの全閉状態でコードが露出してしまうため、コードへのいたずらや悪意あるコードの切断などで正常な障害物検知に支障を来たすおそれがあった。また、コードがシャッターカーテンの面部に沿って延出することは意匠的にも好ましくない。
【０００４】
また、コードリールを用いた障害物検知装置は、シートシャッターにおける避難時停止装置にも適用され得るものであり、コードリールを用いた避難時停止装置を備えたシートシャッター装置が、特許文献２に記載されている。
【０００５】
防火・防煙用のシートシャッター装置においては、特許文献２に記載されているように、防火スクリーンからなるシャッターカーテンに開閉可能なシートからなる避難扉が設けられており、避難扉を手前に引くように開放することでシャッターカーテンに避難口を形成して脱出するようになっている。ところが、上述のとおりシャッターカーテンの面には、上下方向に延出するコードが露出しており、特に、避難扉の戸先側に近接してコードが配線されているような場合には、避難扉の操作時に、コードを一緒に掴んでしまうおそれがあり、スムーズな避難動作の妨げとなるおそれがある。また、点検時の避難扉の開放時にコードを掴んでしまうと、コードの内部断線のおそれがあり、非常時における避難時停止装置の不動作を招いてしまうおそれもある。一方、避難扉をコードから離隔させて配置しようとすれば、避難口を設ける位置の自由度が損なわれることになってしまう。
【特許文献１】特開平１１−２００７４４号
【特許文献２】特開２００７−２４５１号
【発明の開示】
【発明が解決しようとする課題】
【０００６】
本発明は、コードリールを用いた障害物検知装置を備えたシャッター装置において、コードがシャッターカーテン面部に沿って露出することに起因する不具合を解消することを目的とするものである。
【課題を解決するための手段】
【０００７】
かかる課題を達成するために本発明が採用した技術手段は、開口部を開閉するシャッターカーテンと、シャッターカーテンを巻き取る巻取シャフトと、コードリールを用いた障害物検知装置と、を備えたシャッター装置において、前記障害物検知装置は、一端が座板に設けられた障害物検知スイッチに、他端が開口部上方に設けたコードリールに連結されており、シャッターカーテン昇降時にシャッターカーテンの面部に沿って昇降するコードを有しており、前記シャッター装置は、開口部上方に設けた巻取装置と、一端が前記巻取装置に、他端が前記座板に連結されており、シャッターカーテン昇降時に前記コードを覆うように昇降する保護シートと、を有している、シャッター装置、である。
【０００８】
一つの好ましい態様では、前記コードの昇降経路の上方部位に位置して保護シートのガイド部材が設けてあり、巻取装置から引き出された保護シートは、前記コードと前記ガイド部材の間で挟持されながら前記ガイド部材に案内されて下方に導かれる。また、一つの好ましい態様では、シャッター装置は、避難用扉（スクリーンドア）を備えた防火スクリーンを有するシートシャッター装置であり、コードリールを用いた障害物検知装置から避難時停止装置が構成される。
【発明の効果】
【０００９】
本発明では、コードリールを用いた障害物検知装置を備えたものでありながら、保護シートによって常時コードが覆われているので、コードへのいたずらや悪意あるコードの切断などで正常な障害物検知に支障を来たすおそれを防ぐことができ、また、コードが露出することがないので意匠的にも良好である。本発明を避難扉を備えたシートシャッターに適用した場合には、避難扉の操作時に、コードを一緒に掴んでしまうことを防止し、スムーズな避難動作を確保することができ、また、点検時の避難扉の開放時にコードを掴んでしまうことによるコードの内部断線を防止し、さらには、避難口位置の自由度を大きくすることができる。
【発明を実施するための最良の形態】
【００１０】
図１は、本発明に係る防火・防煙用シートシャッター装置の全体正面図である。建物内の所定の開口部の側部にはガイドレール１が対向状に立設されており、当該開口部の上方にはシャッターケース２が設けてあり、シャッターケース２内には開口幅方向に延出する巻取シャフト３が設けてある。巻取シャフト３には、火災時に開口部を閉鎖する防火スクリーン４の上端が連結されており、通常時には、防火スクリーン４は巻取シャフト３に巻装された状態でシャッターケース２内に収容されており、開口部は全開状態にある。
【００１１】
通常時には、巻取シャフト３の回転は図示しないブレーキ手段によって規制されている。火災時には、図示しない煙感知器からの防災信号を受信した自動閉鎖装置によってブレーキ手段が解除されて巻取シャフト３の回転が回転可能となって、防火スクリーン４が、その両端をガイドレール１に案内されながら自重で降下して開口部を全閉する。降下した防火スクリーン４は、開閉機５によって巻取シャフト３を回転させて、巻取シャフト３に巻き取ることで、開口部を全開する。
【００１２】
防火スクリーン４には避難用開口が形成されていると共に、防火スクリーン４の本体シート４０には当該避難用開口を開閉するスクリーンドア６が開閉可能に設けてあり、スクリーンドア６を手前に引くように開放することで、防火スクリーン４に避難用開口を形成するように構成されている。
【００１３】
防火スクリーン４は、本体シート４０と、本体シート４０の下端に設けた本体部座板７とから構成されている。スクリーンドア６は、ドアシート６０と、ドアシート６０の下端に設けたドア用座板８とから構成されている。本体シート４０及びドアシート６０は共にシリカ布等の耐火シートから構成されている。
【００１４】
スクリーンドア６は、ドアシート６０の戸尻側を本体シート４０に縫着し、ドアシート６０の戸先側が、本体シート４０との間で所定幅の重なり部を形成するように、本体シート４０に装着されている。開口部閉鎖時には、スクリーンドア６のドアシート６０と防火スクリーン４の本体シート４０との間の重なり部によって、火災側と非火災側との間に連通孔が形成されるのを防止している。
【００１５】
防火スクリーン４の下端には、幅全体に延出する本体部座板７が設けてある。座板７は、全体として、垂直状の立ち上がり部７０と水平状のフラット部７１とから略逆Ｔ形状の断面を有している。座板７は、立ち上がり部７０を介して本体シート４０の下端に連結されている。図示の例では、防火スクリーン４の下端が袋状部に形成されており、袋状部には肉薄のバーが垂直方向の姿勢で収納されており、肉薄のバーを収納した袋状部を立ち上がり部７０で挟み込むように構成されている。
【００１６】
座板７において、立ち上がり部７０は、スクリーンドア６の下端に対応する部位には形成されていない。したがって、座板７は本体シート４０の幅全体に延出するフラット部７１とスクリーンドア６に対応する部位を除いて形成された立ち上がり部７０とから構成されている。
【００１７】
スクリーンドア６の下端には、座板７とは別体のドア部座板８が設けてある。ドア部座板８は、板状の立ち上がり部を有している。ドア部座板８は、上述した座板７の立ち上がり部７０が形成されていない部位に対応して配設される。ドア部座板８の一方の端部（スクリーンドア６の戸先側に対応する端部）は自由端であり、一方、ドア部座板８の他方の端部（スクリーンドア６の戸尻側に対応する端部）は、座板７の立ち上がり部７０に傾斜丁番（図示せず）を介して回動可能に連結されている。
【００１８】
防火スクリーン４の下端の座板７のフラット部７１の下面には、障害物検知スイッチを構成するテープスイッチ１１が設けてある。座板７の下面が障害物にぶつかると、テープスイッチ１１が押圧されて、障害物を検知する。テープスイッチ１１は開口部上方（図示の例ではシャッターケース２内）に設けたコードリール１２のコード１３に電気的に接続されており、テープスイッチ１１による検知信号は、コードリール１２のコード１３を介して自動閉鎖装置に送信され、自動閉鎖装置が障害物検知信号を受信すると、ブレーキ手段を復帰させて巻取シャフト３の回転を規制して防火スクリーン４の降下を停止させる。コードリール１２には、コード１３を巻き取る方向に付勢する手段（例えば、バネ）が内蔵されており、コード１３は、防火スクリーン４の昇降時に、防火スクリーン４の面部に沿って昇降する。コードリール１２を用いた障害物検知装置は公知であって、当該障害物検知装置の構成の詳細は、特許文献１を参照することができる。
【００１９】
開口部上方には、開口幅方向において、コードリール１２が設けられた位置に対応させると共に、コードリール１２の下方側に位置して、保護シート巻取装置１４が設けてある。図示の例では、巻取装置１４は、シャッターケース２の下面に設けてある。巻取装置１４には、細幅の保護シート１５の上端が連結されており、保護シート１５の巻き取り・繰り出しが可能となっている。保護シート１５は、本体シート４０及びドアシート６０と同様にシリカ布等の耐火シートから構成されている。保護シート１５の下端は座板７に連結されている。巻取装置１４は、図示しない付勢手段（例えば、バネ）によって保護シート１５を巻き取る方向に回転するように付勢されている。したがって、防火スクリーン４の降下に伴って座板７が降下すると、保護シート１５が巻取装置１４から引き出されて降下していき、防火スクリーン４の上昇に伴って座板７が上昇すると、付勢手段によって保護シート１５が巻取装置１４に巻き取られていく。
【００２０】
開口部上方部位において、巻取装置１４から引き出された保護シート１５は、コードリール１２から引き出されたコード１３の下方側に位置して延出する。また、保護シート１５の下端は、コード１３の下端が座板７に連結された部位よりも外側（防火スクリーン４から離隔する側）に位置して座板７に連結されている。図示の例では、コード１３の下端は、座板７のフラット部７１の上面に連結されており、保護シート１５の下端は、座板のフラット部７１の傾斜状の側面に連結されている。コード１３の昇降経路の上方部位に位置させて保護シートガイドローラ１６が設けてあり、巻取装置１４から引き出された保護シート１５は、コード１３とガイドローラ１６の間で挟持されながらガイドローラ１６に案内されて下方に導かれ、保護シート１５は、ガイドローラ１６から下方位置において、コード１３に近接あるいは密着しながら昇降するようになっている。
【００２１】
このように構成されたシートシャッター装置において、防火スクリーン４が降下する時には、座板７の降下に伴ってコード１３がコードリール１２から引き出されて、防火スクリーン４の面部に沿って降下していくが、座板７の降下に伴って保護シート１５が巻取装置１４から引き出されて、コード１３の外側に位置して、防火スクリーンの面部に沿って降下するので、コード１３は保護シート１５によって常時覆われることになる。防火スクリーン４が巻取シャフト３に巻き取られて上昇する時にも、同様に、コード１３は保護シート１５によって常時覆われる。開口部全閉時において、防火スクリーン４と保護シート１５との間には若干の隙間が形成され得るが、従来のようにコード１３が露出するものに比べれば、コード１３へのアクセスはより困難になっており、また誤ってコード１３を掴んでしまうことも防止される。尚、防火スクリーン４と保護シート１５のそれぞれの対向する面にファスナーを設けて、保護シート１５の昇降時に保護シート１５の面部の幅方向端部が防火スクリーン４の面部に脱着するようにして、保護シート１５と防火スクリーン４との間に隙間が形成されないようにしてもよい。この場合には、保護シート１５の面部を防火スクリーン４の面部に密着させるための別個のガイド部材が必要となるであろうことは当業者に容易に理解される。
【産業上の利用可能性】
【００２２】
本発明は、例えば、コードリールを用いた避難時停止装置を備えたシートシャッター装置に利用することができる。
【図面の簡単な説明】
【００２３】
【図１】シートシャッターの開口部全閉時における全体正面図である。
【図２】シートシャッターの開口部全閉時における一部省略全体側面図である。
【符号の説明】
【００２４】
１  ガイドレール
４  防火スクリーン
６  スクリーンドア
７  座板
１１  テープスイッチ
１２  コードリール
１３  コード
１４  巻取装置
１５  保護シート
【図１】
2008184742.tif 000003
【図２】
2008184742.tif 000004